(57)【特許請求の範囲】
【請求項１】
洗浄箱を含み、前記洗浄箱の中には上端壁の左側が外部空間と連通した操作空間が設置され、前記操作空間の右端壁には駆動機構が設置され、前記駆動機構が装置全体の運行を駆動でき、
前記駆動機構の左側には送り機構が設置され、前記送り機構が携帯電話を指定された位置に送ることができ、
前記送り機構の上側には洗浄機構が設置され、前記送り機構が作動するとき、前記洗浄機構を前記駆動機構と噛合伝動するまでプッシュでき、前記洗浄機構は前記操作空間の後端壁と固定的に連結された頂部ブロックを含み、前記頂部ブロックの中には圧力ねじりばねを通して力受け軸が回転できるように設置され、前記力受け軸には扇状歯車とプッシュロッドとが固定的に設置され、前記扇状歯車の左側には底部歯車が噛み合っており、前記頂部ブロックの左側には前記操作空間の後端壁と固定的に連結された方形ブロックが設置され、前記方形ブロックの中には方形空間が設置され、前記方形空間の中には洗剤があり、前記力受け軸の左側には左右に移動できるスポンジブロックが設置され、前記扇状歯車と前記底部歯車との噛合伝動により、方形空間内の洗剤を携帯電話の表面に噴射でき、前記プッシュロッドの回転により前記スポンジブロックを左にプッシュでき、携帯電話の表面を拭き、
前記駆動機構は前記操作空間の右端壁に固定的に設置されたモーターを含み、前記モーターの左端面には駆動軸が回転できるように設置され、前記駆動軸には駆動プーリーが固定的に設置され、前記駆動軸の左端には駆動傘歯車が固定的に設置され、前記モーターの上側には前記操作空間の右端壁と回転できるように連結された伝動軸が設置され、前記伝動軸には回転プーリーが固定的に設置され、前記伝動軸の左端には伝動傘歯車が固定的に設置され、前記回転プーリーと前記駆動プーリーとが垂直ベルトを通して摩擦伝動し、
前記送り機構は前記操作空間の後端壁内に位置した長溝も含み、前記長溝が前方に開口しており、前記長溝の右端壁には長ばねが固定的に設置され、前記長ばねの左端には前記長溝とスライドできるように連結された横向きブロックが固定的に設置され、前記横向きブロックの前端が前記操作空間の中に位置しており、且つ前記横向きブロックの前端には中空ブロックが固定的に設置され、前記中空ブロックの中には上方に開口した弾性空間が設置され、前記弾性空間の中には上端が前記操作空間の中に位置した弾性板がスライドできるように設置され、前記弾性板が携帯電話を置くために使用され、前記弾性板の下端面には前記弾性空間の下端壁と固定的に連結された弾性ばねが左右対称に固定的に設置され、前記弾性板の下端面の中心には下端が前記操作空間の中に位置した垂直ロッドが固定的に設置され、
前記操作空間の後端壁にはプーリー軸と回転軸とが回転できるように設置され、前記回転軸が前記プーリー軸の右側に位置しており、前記プーリー軸には出力プーリーが固定的に設置され、前記回転軸には底部傘歯車と入力プーリーとが固定的に設置され、前記入力プーリーが前記底部傘歯車の前側に位置しており、前記底部傘歯車と前記駆動傘歯車とが噛合伝動し、前記入力プーリーと前記出力プーリーとが横向きベルトを通して摩擦伝動し、前記横向きベルトの中には弧形溝が設置され、前記弧形溝の中には弧形ブロックがスライドできるように設置され、前記弧形ブロックと前記弧形溝の左端壁の間には弧形ばねが設置され、前記弧形ブロックの上端面には上端が前記操作空間の中に位置した細いロッドが固定的に設置され、前記細いロッドの前端面には定位ロッドが固定的に設置され、前記定位ロッドには小トーションばねを通してねじりロッドが回転できるように設置され、
前記洗浄機構は前記操作空間の上端壁の中に位置した弾力溝も含み、前記弾力溝が下方に開口しており、前記弾力溝の右端壁には弾力ばねが固定的に設置され、前記弾力ばねの左端には前記弾力溝とスライドできるように連結された弾力ブロックが固定的に設置され、前記弾力ブロックの下端面には下端が前記操作空間の中に位置した頂部軸が回転できるように設置され、前記頂部軸には伝動プーリーと出力傘歯車とが固定的に設置され、前記出力傘歯車が前記伝動プーリーの下側に位置しており、前記頂部軸の下端には円形ブロックが固定的に設置され、前記中空ブロックが前記円形ブロックを移動させることができ、前記扇状歯車の上側には前記力受け軸と固定的に連結された小プーリーが設置され、前記小プーリーと前記伝動プーリーとの間には緩めベルトが設置され、前記操作空間の後端壁には保存空間が固定的に設置され、前記保存空間の中には保存ブロックが設置され、前記方形空間の上端壁と前記保存ブロックとがパイプを通して連通しており、前記パイプの中には逆止弁が設置され、前記底部歯車の上端面には上端が前記方形空間の上端壁と回転できるように連結された垂直軸が固定的に設置され、前記方形空間の中の前記垂直軸にはねじ山ブロックが固定的に設置され、前記ねじ山ブロックには圧力板がねじ山により連結され、前記方形ブロックの左端面にはノズルが取り付けられ、前記ノズルと前記方形空間との間には圧力弁が設置され、前記長溝の上端壁の中には前方に開口した斜め溝が設置され、前記斜め溝の右端壁には斜めばねが固定的に設置され、前記斜めばねの左端には斜めブロックが固定的に設置され、前記斜めブロックと前記斜め溝とがスライドできるように連結され、前記斜めブロックの前端には支持板が固定的に設置され、前記支持板の左端面には前記スポンジブロックが取り付けられ、
前記出力傘歯車が右に移動するとき伝動傘歯車と噛合し、
前記緩めベルトが緩めた状態にあり、前記伝動プーリーの回転が前記小プーリーを回転させることができないことを特徴とする路上セルフサービス式携帯電話表面洗浄保護装置。
【発明の詳細な説明】
【技術分野】
【０００１】
本発明は携帯電話洗浄分野を取り上げて、具体的には路上セルフサービス式携帯電話表面洗浄保護装置である。
【背景技術】
【０００２】
現在の社会では、携帯電話が手から離れないほどの必需品であるため、携帯電話にはいつも汚れまみれで、大量の細菌と微生物があり、ユーザーの安全に隠れた危険をもたらすため、携帯電話を消毒しないと、手を洗う意味がない。しかし、携帯電話の洗浄が面倒であり、街に歩いているとき洗浄の設備を持っていなく、携帯電話を早く洗浄するところがなく、また既存の携帯電話洗浄装置は操作が面倒であり、路上使用に適しない。
【先行技術文献】
【特許文献】
【０００３】
【特許文献１】中国特許出願公開第１０３２３０９０６号明細書
【発明の概要】
【発明が解決しようとする課題】
【０００４】
本願発明は解決しようとする問題は、路上セルフサービス式携帯電話表面洗浄保護装置を提供し、携帯電話の洗浄の不便で、路上に適した携帯電話洗浄設備が少ないなどの問題を克服する。
【課題を解決するための手段】
【０００５】
本発明は以下の技術プランを通じて実現する：本願発明の路上セルフサービス式携帯電話表面洗浄保護装置は、洗浄箱を含み、前記洗浄箱の中には上端壁の左側が外部空間と連通した操作空間が設置され、前記操作空間の右端壁には駆動機構が設置され、前記駆動機構が装置全体の運行を駆動でき、
前記駆動機構の左側には送り機構が設置され、前記送り機構が携帯電話を指定された位置に送ることができ、
前記送り機構の上側には洗浄機構が設置され、前記送り機構が作動するとき、前記洗浄機構を前記駆動機構と噛合伝動するまでプッシュでき、前記洗浄機構は前記操作空間の後端壁と固定的に連結された頂部ブロックを含み、前記頂部ブロックの中には圧力ねじりばねを通して力受け軸が回転できるように設置され、前記力受け軸には扇状歯車とプッシュロッドとが固定的に設置され、前記扇状歯車の左側には底部歯車が噛み合っており、前記頂部ブロックの左側には前記操作空間の後端壁と固定的に連結された方形ブロックが設置され、前記方形ブロックの中には方形空間が設置され、前記方形空間の中には洗剤があり、前記力受け軸の左側には左右に移動できるスポンジブロックが設置され、前記扇状歯車と前記底部歯車との噛合伝動により、方形空間内の洗剤を携帯電話の表面に噴射でき、前記プッシュロッドの回転により前記スポンジブロックを左にプッシュでき、携帯電話の表面を拭く。
【０００６】
優選的には、前記駆動機構は前記操作空間の右端壁に固定的に設置されたモーターを含み、前記モーターの左端面には駆動軸が回転できるように設置され、前記駆動軸には駆動プーリーが固定的に設置され、前記駆動軸の左端には駆動傘歯車が固定的に設置され、前記モーターの上側には前記操作空間の右端壁と回転できるように連結された伝動軸が設置され、前記伝動軸には回転プーリーが固定的に設置され、前記伝動軸の左端には伝動傘歯車が固定的に設置され、前記回転プーリーと前記駆動プーリーとが垂直ベルトを通して摩擦伝動する。
【０００７】
優選的には、前記送り機構は前記操作空間の後端壁内に位置した長溝も含み、前記長溝が前方に開口しており、前記長溝の右端壁には長ばねが固定的に設置され、前記長ばねの左端には前記長溝とスライドできるように連結された横向きブロックが固定的に設置され、前記横向きブロックの前端が前記操作空間の中に位置しており、且つ前記横向きブロックの前端には中空ブロックが固定的に設置され、前記中空ブロックの中には上方に開口した弾性空間が設置され、前記弾性空間の中には上端が前記操作空間の中に位置した弾性板がスライドできるように設置され、前記弾性板が携帯電話を置くために使用され、前記弾性板の下端面には前記弾性空間の下端壁と固定的に連結された弾性ばねが左右対称に固定的に設置され、前記弾性板の下端面の中心には下端が前記操作空間の中に位置した垂直ロッドが固定的に設置されている。
【０００８】
前記操作空間の後端壁にはプーリー軸と回転軸とが回転できるように設置され、前記回転軸が前記プーリー軸の右側に位置しており、前記プーリー軸には出力プーリーが固定的に設置され、前記回転軸には底部傘歯車と入力プーリーとが固定的に設置され、前記入力プーリーが前記底部傘歯車の前側に位置しており、前記底部傘歯車と前記駆動傘歯車とが噛合伝動し、前記入力プーリーと前記出力プーリーとが横向きベルトを通して摩擦伝動し、前記横向きベルトの中には弧形溝が設置され、前記弧形溝の中には弧形ブロックがスライドできるように設置され、前記弧形ブロックと前記弧形溝の左端壁の間には弧形ばねが設置され、前記弧形ブロックの上端面には上端が前記操作空間の中に位置した細いロッドが固定的に設置され、前記細いロッドの前端面には定位ロッドが固定的に設置され、前記定位ロッドには小トーションばねを通してねじりロッドが回転できるように設置されている。
【０００９】
優選的には、前記洗浄機構は前記操作空間の上端壁の中に位置した弾力溝も含み、前記弾力溝が下方に開口しており、前記弾力溝の右端壁には弾力ばねが固定的に設置され、前記弾力ばねの左端には前記弾力溝とスライドできるように連結された弾力ブロックが固定的に設置され、前記弾力ブロックの下端面には下端が前記操作空間の中に位置した頂部軸が回転できるように設置され、前記頂部軸には伝動プーリーと出力傘歯車とが固定的に設置され、前記出力傘歯車が前記伝動プーリーの下側に位置しており、前記頂部軸の下端には円形ブロックが固定的に設置され、前記中空ブロックが前記円形ブロックを移動させることができ、前記扇状歯車の上側には前記力受け軸と固定的に連結された小プーリーが設置され、前記小プーリーと前記伝動プーリーとの間には緩めベルトが設置され、前記操作空間の後端壁には保存空間が固定的に設置され、前記保存空間の中には保存ブロックが設置され、前記方形空間の上端壁と前記保存ブロックとがパイプを通して連通しており、前記パイプの中には逆止弁が設置され、前記底部歯車の上端面には上端が前記方形空間の上端壁と回転できるように連結された垂直軸が固定的に設置され、前記方形空間の中の前記垂直軸にはねじ山ブロックが固定的に設置され、前記ねじ山ブロックには圧力板がねじ山により連結され、前記方形ブロックの左端面にはノズルが取り付けられ、前記ノズルと前記方形空間との間には圧力弁が設置され、前記長溝の上端壁の中には前方に開口した斜め溝が設置され、前記斜め溝の右端壁には斜めばねが固定的に設置され、前記斜めばねの左端には斜めブロックが固定的に設置され、前記斜めブロックと前記斜め溝とがスライドできるように連結され、前記斜めブロックの前端には支持板が固定的に設置され、前記支持板の左端面には前記スポンジブロックが取り付けられている。
【００１０】
優選的には、前記出力傘歯車が右に移動するとき伝動傘歯車と噛合する。
【００１１】
優選的には、前記緩めベルトが緩めた状態にあり、前記伝動プーリーの回転が前記小プーリーを回転させることができない。
【発明の効果】
【００１２】
本願発明の有益な効果は：本願発明装置は構造が簡単で、操作が便利であり、自動化に携帯電話の表面を洗浄でき、携帯電話の表面にある汚れを除去し、ユーザーの携帯電話の手触りを改善し、細菌の増殖を防ぎ、装置の効率が高く、その内部には一つのモーターしかなく、全体的な連動性が高く、エネルギーを節約する。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の路上セルフサービス式携帯電話表面洗浄保護装置の全体全断面の正面構造概略図
【図２】図２は図１のＡの拡大概略図
【図３】図３は図１のＢの拡大概略図
【図４】図４は図１のＣ―Ｃ方向の概略図
【発明を実施するための形態】
【００１５】
図１〜４を参照し、洗浄箱１０を含み、前記洗浄箱１０の中には上端壁の左側が外部空間と連通した操作空間１１が設置され、前記操作空間１１の右端壁には駆動機構８１が設置され、前記駆動機構８１が装置全体の運行を駆動できる。
【００１６】
前記駆動機構８１の左側には送り機構８０が設置され、前記送り機構８０が携帯電話を指定された位置に送ることができる。
【００１７】
前記送り機構８０の上側には洗浄機構８２が設置され、前記送り機構８０が作動するとき、前記洗浄機構８２を前記駆動機構８１と噛合伝動するまでプッシュでき、前記洗浄機構８２は前記操作空間１１の後端壁と固定的に連結された頂部ブロック７０を含み、前記頂部ブロック７０の中には圧力ねじりばね６９を通して力受け軸７２が回転できるように設置され、前記力受け軸７２には扇状歯車７３とプッシュロッド２５とが固定的に設置され、前記扇状歯車７３の左側には底部歯車５９が噛み合っており、前記頂部ブロック７０の左側には前記操作空間１１の後端壁と固定的に連結された方形ブロック６６が設置され、前記方形ブロック６６の中には方形空間６３が設置され、前記方形空間６３の中には洗剤があり、前記力受け軸７２の左側には左右に移動できるスポンジブロック２３が設置され、前記扇状歯車７３と前記底部歯車５９との噛合伝動により、方形空間６３内の洗剤を携帯電話の表面に噴射でき、前記プッシュロッド２５の回転により前記スポンジブロック２３を左にプッシュでき、携帯電話の表面を拭く。
【００１８】
有益的には、前記駆動機構８１は前記操作空間１１の右端壁に固定的に設置されたモーター４１を含み、前記モーター４１の左端面には駆動軸４２が回転できるように設置され、前記駆動軸４２には駆動プーリー４３が固定的に設置され、前記駆動軸４２の左端には駆動傘歯車４０が固定的に設置され、前記モーター４１の上側には前記操作空間１１の右端壁と回転できるように連結された伝動軸３５が設置され、前記伝動軸３５には回転プーリー３６が固定的に設置され、前記伝動軸３５の左端には伝動傘歯車３４が固定的に設置され、前記回転プーリー３６と前記駆動プーリー４３とが垂直ベルト３９を通して摩擦伝動する。
【００１９】
有益的には、前記送り機構８０は前記操作空間１１の後端壁内に位置した長溝１６も含み、前記長溝１６が前方に開口しており、前記長溝１６の右端壁には長ばね４９が固定的に設置され、前記長ばね４９の左端には前記長溝１６とスライドできるように連結された横向きブロック２１が固定的に設置され、前記横向きブロック２１の前端が前記操作空間１１の中に位置しており、且つ前記横向きブロック２１の前端には中空ブロック１７が固定的に設置され、前記中空ブロック１７の中には上方に開口した弾性空間１８が設置され、
前記弾性空間１８の中には上端が前記操作空間１１の中に位置した弾性板２０がスライドできるように設置され、前記弾性板２０が携帯電話を置くために使用され、前記弾性板２０の下端面には前記弾性空間１８の下端壁と固定的に連結された弾性ばね１９が左右対称に固定的に設置され、前記弾性板２０の下端面の中心には下端が前記操作空間１１の中に位置した垂直ロッド５５が固定的に設置されている。
【００２０】
前記操作空間１１の後端壁にはプーリー軸１３と回転軸４６とが回転できるように設置され、前記回転軸４６が前記プーリー軸１３の右側に位置しており、前記プーリー軸１３には出力プーリー１５が固定的に設置され、前記回転軸４６には底部傘歯車４５と入力プーリー４４とが固定的に設置され、前記入力プーリー４４が前記底部傘歯車４５の前側に位置しており、前記底部傘歯車４５と前記駆動傘歯車４０とが噛合伝動し、前記入力プーリー４４と前記出力プーリー１５とが横向きベルト５０を通して摩擦伝動し、前記横向きベルト５０の中には弧形溝１２が設置され、前記弧形溝１２の中には弧形ブロック５１がスライドできるように設置され、前記弧形ブロック５１と前記弧形溝１２の左端壁の間には弧形ばね１４が設置され、前記弧形ブロック５１の上端面には上端が前記操作空間１１の中に位置した細いロッド５６が固定的に設置され、前記細いロッド５６の前端面には定位ロッド５２が固定的に設置され、前記定位ロッド５２には小トーションばね５３を通してねじりロッド５４が回転できるように設置されている。
【００２１】
有益的には、前記洗浄機構８２は前記操作空間１１の上端壁の中に位置した弾力溝３０も含み、前記弾力溝３０が下方に開口しており、前記弾力溝３０の右端壁には弾力ばね３２が固定的に設置され、前記弾力ばね３２の左端には前記弾力溝３０とスライドできるように連結された弾力ブロック３１が固定的に設置され、前記弾力ブロック３１の下端面には下端が前記操作空間１１の中に位置した頂部軸３３が回転できるように設置され、前記頂部軸３３には伝動プーリー２９と出力傘歯車３７とが固定的に設置され、前記出力傘歯車３７が前記伝動プーリー２９の下側に位置しており、前記頂部軸３３の下端には円形ブロック３８が固定的に設置され、前記中空ブロック１７が前記円形ブロック３８を移動させることができ、前記扇状歯車７３の上側には前記力受け軸７２と固定的に連結された小プーリー７１が設置され、前記小プーリー７１と前記伝動プーリー２９との間には緩めベルト２８が設置され、前記操作空間１１の後端壁には保存空間２６が固定的に設置され、前記保存空間２６の中には保存ブロック２７が設置され、前記方形空間６３の上端壁と前記保存ブロック２７とがパイプ６８を通して連通しており、前記パイプ６８の中には逆止弁６７が設置され、前記底部歯車５９の上端面には上端が前記方形空間６３の上端壁と回転できるように連結された垂直軸６０が固定的に設置され、前記方形空間６３の中の前記垂直軸６０にはねじ山ブロック６２が固定的に設置され、前記ねじ山ブロック６２には圧力板６１がねじ山により連結され、前記方形ブロック６６の左端面にはノズル６４が取り付けられ、前記ノズル６４と前記方形空間６３との間には圧力弁６５が設置され、前記長溝１６の上端壁の中には前方に開口した斜め溝２２が設置され、前記斜め溝２２の右端壁には斜めばね４７が固定的に設置され、前記斜めばね４７の左端には斜めブロック２４が固定的に設置され、前記斜めブロック２４と前記斜め溝２２とがスライドできるように連結され、前記斜めブロック２４の前端には支持板４８が固定的に設置され、前記支持板４８の左端面には前記スポンジブロック２３が取り付けられている。
【００２２】
有益的には、前記出力傘歯車３７が右に移動するとき伝動傘歯車３４と噛合する。
【００２３】
有益的には、前記緩めベルト２８が緩めた状態にあり、前記伝動プーリー２９の回転が前記小プーリー７１を回転させることができない。
【００２４】
装置全体の機械作動の流れ：
【００２５】
１、携帯電話を弾性板２０に上向きに置き、弾性板２０をプッシュし下がらせ、弾性ばね１９が圧縮され、垂直ロッド５５が弾性板２０と共にねじりロッド５４の高さまで下がり、モーター４１を始動し、駆動軸４２を回転させ、駆動プーリー４３と駆動傘歯車４０とが駆動軸４２と共に回転する。
２、垂直ベルト３９の摩擦伝動を通して、駆動プーリー４３が回転プーリー３６を回転させ、伝動傘歯車３４が回転プーリー３６と共に回転し、駆動傘歯車４０と底部傘歯車４５との噛合伝動を通して、底部傘歯車４５を回転させ、入力プーリー４４が底部傘歯車４５と共に回転し、横向きベルト５０を移動させ、ねじりロッド５４が横向きベルト５０と共に移動し、垂直ロッド５５をプッシュし右へ移動させ、中空ブロック１７が垂直ロッド５５と共に移動し、携帯電話を駆動し右へ移動させ、長ばね４９が圧縮される。
３、中空ブロック１７が円形ブロック３８をプッシュし右へ移動させ、出力傘歯車３７と伝動傘歯車３４とを噛み合わせ、緩めベルト２８が引っ張られ、弧形ブロック５１が弧形溝１２に沿って移動し、弧形ばね１４を圧縮し、伝動傘歯車３４と出力傘歯車３７との噛合伝動を通して、出力傘歯車３７を回転させ、伝動プーリー２９が出力傘歯車３７と共に移動し、緩めベルト２８が引っ張られた状態にあるため、小プーリー７１が回転し、扇状歯車７３とプッシュロッド２５とを回転させ、扇状歯車７３と底部歯車５９の噛合伝動を通して、垂直軸６０を回転させる。
４、ねじ山ブロック６２が垂直軸６０と共に回転し、ねじ山ブロック６２と圧力板６１とのねじ山連結を通して、圧力板６１を上昇させ、方形空間６３内の洗剤をノズル６４により携帯電話スクリーンに噴射し、プッシュロッド２５が回転しスポンジブロック２３をプッシュし携帯電話スクリーンにある洗剤を拭かせる。
５、弧形ブロック５１が一定な距離に移動した後、ねじりロッド５４が回転し、長ばね４９を復帰させ、携帯電話を送り出し、携帯電話を取ることができる。
【００２６】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【要約】
【課題】本発明は路上セルフサービス式携帯電話表面洗浄保護装置を開示した。
【解決手段】
洗浄箱を含み、前記洗浄箱の中には上端壁の左側が外部空間と連通した操作空間が設置され、前記操作空間の右端壁には駆動機構が設置され、前記駆動機構が装置全体の運行を駆動でき、
前記駆動機構の左側には送り機構が設置され、前記送り機構が携帯電話を指定された位置に送ることができ、
前記送り機構の上側には洗浄機構が設置され、前記送り機構が作動するとき、前記洗浄機構を前記駆動機構と噛合伝動するまでプッシュでき、前記洗浄機構は前記操作空間の後端壁と固定的に連結された頂部ブロックを含み、前記頂部ブロックの中には圧力ねじりばねを通して力受け軸が回転できるように設置されている。
【選択図】図１【図１】
0006807499.tif 000002
【図２】
0006807499.tif 000003
【図３】
0006807499.tif 000004
【図４】
0006807499.tif 000005